(57)【要約】【課題】  組み付けは簡単容易で、導電プラグはベース内に安定して固定され蓋ボディは正確にベースと組み合わされる扁平なプラグを提供する。【解決手段】  ふたつの導電プラグ５０の水平部５１はベース２０の挟み持ち面２６１、挟み持ち面２７１、挟み持ち面２７２、挟み持ち面２２２の間に押し込まれ、安定して固定され揺らぐことが無い。蓋ボディ３０がベース２０上に合わされることで、位置決め柱２９はそれぞれ位置決め孔３４の中に入り、押さえブロック３２はそれぞれ収容部分２２、収容部分２３内に伸びて入り、押さえブロック３２が導電プラグ５０の水平部５１を押さえ、導電プラグ５０の安定性が更に増加する。位置決めブロック４０の接合部４１が第一の凹凸部分２５及び第二の凹凸部分３３を接合することで、蓋ボディ３０及びベース２０は容易に緩み外れることがない。【選択図】    図１
0003109272.tif 000002
【実用新案登録請求の範囲】
【請求項１】
扁平なプラグであって、一つの電線末端に設けられ接続され、
ベースは、概ね平らな形を呈し、一面には第一の収容槽を有し、第一の収容槽の中には二つの収容部分を有し、二つの収容部分の中には二つの通し孔を有し、且つ第一の収容槽の一側部には一つの第一の開き口を有し、第一の開き口には、一つの第一の凹凸部分を有し、それぞれの収容部分は二つの相対する挟み持ち面を有し、
蓋ボディは、ベースに対応する平らな形を呈し、一面には一つの第二の収容槽を有し、第二の収容槽の一側部には一つの第二の開き口を有し、第二の開き口には一つの第二の凹凸部分を有し、蓋ボディはベースを蓋することが可能であり、第一の収容槽及び第二の収容槽は互いに繋がり、また第一の凹凸部分及び第二の凹凸部分は相対し、
少なくとも二つの導電プラグは、概ねＬ形を呈し、それぞれ一つの水平部と一つの垂直部を有し、水平部と電線は連結され、且つその幅は概ね収容部分の二つの相対して挟み持つ面の間の距離より大きく、且つそれぞれの収容部分の二つの相対する挟み持ち面により挟み持たれ、またそれらの垂直部分はそれぞれその二つの収容部分の中の通し孔に通し込まれることを特徴とする扁平なプラグ。
【請求項２】
ベースの第一の収容槽の中には少なくとも一つのあぜ壁を有し、あぜ壁の二つの側部は第一の収容槽と相対して内壁面との間に第二の収容槽を形成し、これにより、あぜ壁の二つの側面及び第一の収容槽の内壁面は二つの収容部分の二つの挟み持ち面を形成していることを特徴とする請求項１記載の扁平プラグ。
【請求項３】
ベースの第一の収容槽の中には、二つの相対するあぜ壁を有し、且つ二つのあぜ壁によって囲まれた区域には一つの収容部分を形成し、またそのうち一つのあぜ壁並びに第一の収容槽の内壁面の間にはもう一つの収容部分を形成していることを特徴とする請求項２記載の扁平プラグ。
【請求項４】
ベースの第一の収容槽には少なくとも一つの第一のあぜ壁及び二つの第二のあぜ壁を有し、二つの第二のあぜ壁はそれぞれ第一のあぜ壁と相対し、二つの収容部分を形成していることを特徴とする請求項２記載の扁平プラグ。
【請求項５】
蓋ボディの第二の収容槽には二つの凸ブロックを有し、蓋ボディによりベースが蓋された際、二つの凸ブロックはそれぞれその二つの収容部分内に入り、また一つの導電プラグの水平部を押しやることを特徴とする請求項１記載の扁平プラグ。
【請求項６】
更に一つの位置決めブロックと電線が一体となり含まれ、且つ位置決めブロックの前端には接合部を有し、第一の凹凸部分および第二の凹凸部分と共に位置を定めることを特徴とする請求項１記載の扁平プラグ。
【請求項７】
更に一つの掛けフックが含まれ、両端にはそれぞれ一つのかぎ部を有し、それは回転して蓋ボディを引っ掛け、且つ掛けフックの形状は蓋ボディ周縁に対応し、また蓋ボディ辺縁のすぐ隣を回転することが可能であることを特徴とする請求項１記載の扁平プラグ。
【請求項８】
蓋ボディの掛けフックの位置には対応して一つの収容部を有し、掛けフックを収容するのに用いることを特徴とする請求項７記載の扁平プラグ。
【請求項９】
ベースは少なくとも二つの位置決め柱を有し、蓋ボディはこれに合わせて少なくとも二つの位置決め孔を有し、蓋ボディがベースに蓋される際、これらの位置決め柱はこれらの位置決め孔に挿入されることを特徴とする請求項１記載の扁平プラグ。
【考案の詳細な説明】
【技術分野】
【０００１】
本考案は、電力装置に関し特に扁平なプラグに関する。
【背景技術】
【０００２】
図９に示すように、従来の扁平なプラグ８０は主に、ベース８１、蓋ボディ８２、位置決めブロック８３、二つの導電プラグ８４及び掛けフック８５を含む。ベース８１には少なくとも二つの通し孔８１１が設けられ、導電プラグ８４をベース８１から通して出す。またベース８１の通し孔８１１には予め定められた厚さの垣部８１２を有し、通し孔８１１の深さを増加させることが可能である。これにより導電プラグ８４に対して更に優れた挟み持つ効果を形成し、それらの導電プラグ８４使用時の安定性を確保している。
【考案の開示】
【考案が解決しようとする課題】
【０００３】
しかしながら、従来のプラグはいまだ不足しているところがある。垣部の厚さを増加させることで導電プラグを安定させる方式により、プラグ組み付け時、導電プラグは有効に固定されることが難しく、また時には導電プラグの位置がずれたり、或いは上に向って突起する形状となったりし、組み付け後の製品は比較的不安定で、時には導電プラグが曲がるなど不良品が生じる。
【０００４】
したがって本考案の目的は、扁平なプラグを提供することにある。その組み付けは簡単容易で、且つ組み付けの際、導電プラグはベース内に於いて安定して固定されることで、蓋ボディは正確にベースと組み合わされることが可能となる。
【課題を解決するための手段】
【０００５】
上述の目的を達成するために本考案の請求項に記載の扁平なプラグは、一つの電線末端に繋げられ、以下のものを含む。
一つのベースは、概ね平らな形を呈し、一面には第一の収容槽を有し、第一の収容槽の中には二つの収容部分を有する。二つの収容部分の中には二つの通し孔を有し、且つ第一の収容槽の一側部には一つの第一の開き口を有する。第一の開き口には一つの第一の凹凸部分を有する。二つの収容部分はそれぞれ二つの相対する挟み持ち面を有する。
【０００６】
蓋ボディは、ベースの平らな形に対応し、一面には第二の収容槽を有する。第二の収容槽の一側には一つの第二の開き口を有し、第二の開き口には一つの第二の凹凸部分を有する。蓋ボディはベースに合わせて蓋することが可能で、第一の収容槽及び第二の収容槽をお互いに繋げることが可能である。また第一の凹凸部分及び第二の凹凸部分は相対する。
【０００７】
少なくとも二つの導電プラグは、それぞれベースの二つの収容部分の中に設けられる。二つの導電プラグはそれぞれ一つの水平部が収容部分の挟み持ち面によって押さえられ、電線と連結される。一つの垂直部がベースの二つの通し孔に通される。
【考案を実施するための最良の形態】
【０００８】
以下、本考案の実施例を図面に基づいて説明する。
図１は本考案の第一実施例による扁平なプラグを示す分解立体図である。
図２は本考案の第一実施例による扁平なプラグのベースの底を見た図である。
図３は本考案の第一実施例による扁平なプラグの蓋ボディの上から見た図である。
図４は本考案の第一実施例による扁平なプラグを示す組み合せ剖視図である。
図５は本考案の第一実施例による扁平なプラグのベース及び導電プラグの結合示意図である。
図６は本考案の第二実施例による扁平なプラグのベースの底を見た図である。
図７は本考案の第三実施例による扁平なプラグのベースの底を見た図である。
図８は本考案のもう一つの実施形態の様子である。
【０００９】
図１及び図２に示すように本考案の第一実施例による扁平なプラグ１０は以下のものを含む。
ベース２０、蓋ボディ３０、位置決めブロック４０、二つの導電プラグ５０、及び掛けフック６０である。
【００１０】
図３に示すように、ベース２０は概ね平らな形を呈し、一面にはくぼんでいる一つの第一の収容槽２１が設けられている。第一の収容槽２１の中に二つの収容部分２２、収容部分２３を有し、収容部分２２、収容部分２３の中にはそれぞれ一つの通し孔２４が設けられている。第一の収容槽２１の一側部には一つの第一の開き口２２１が開けられて形成され、第一の開き口２２１には、第一の凹凸部分２５を有する。本実施例中では、ベース２０は二つのあぜ壁２６、あぜ壁２７がその第一の収容槽２１内に平行して設けられ、二つのあぜ壁２６、あぜ壁２７の間により囲まれた区域は一つの収容部分２２を形成する。あぜ壁２７は第一の収容槽２１内壁面との間にもう一つの収容部分２３を形成する。これを利用し二つのあぜ壁２６、あぜ壁２７の相対する側面及びその第一の収容槽２１の内壁面はそれぞれその二つの収容部分２２、収容部分２３の両側に於いて二つの挟み持ち面２６１、挟み持ち面２７１、挟み持ち面２７２、挟み持ち面２２２を形成する。更に、ベース２０は第一の収容槽２１の周縁に隣り合わせて二つの凸柱２８を有する。
【００１１】
図４、図５に示すように、蓋ボディ３０はそのベース２０形状と対応する平らな形で、ベース２０を蓋するのに用いられる。蓋ボディ３０の一面には一つの第二の収容槽３１が設けられ、第二の収容槽３１は二つの繋がった押さえブロック３２を有する。第二の収容槽３１の一側部には一つの第二の開き口３３１が開けられて形成され、第二の開き口３３１のところに於いて、更に一つの第二の凹凸部分３３を有する。ベース２０の二つの凸柱２８と組み合わされるため、蓋ボディ３０は第二の収容槽３１の傍らに二つの位置決め孔３４を有し、また縁にはくぼんだ一つの収容部３５が設けられている。
【００１２】
位置決めブロック４０と一つの電線９０は固定され一体を成し、且つ電線９０外端は位置決めブロック４０前端に於いて露出している。同時に、位置決めブロック４０前端は更に一つの接合部４１を有し、ベース２０の第一の凹凸部分２５及び蓋ボディ３０の第二の凹凸部分３３とお互いに組み合わされ位置が定まる。
【００１３】
導電プラグ５０は概ねＬ形を呈し、それぞれは一つの水平部５１及び一つの垂直部５２を有する。水平部５１の幅は、ベース２０の収容部分２２、収容部分２３の二つの挟み持ち面２６１、挟み持ち面２７１、挟み持ち面２７２、挟み持ち面２２２の相対する間の距離より広い。それぞれ押し込む方式により二つの導電プラグ５０の水平部５１は収容部分２２、収容部分２３の中に押し込まれ、二つの水平部５１の両側はそれぞれ収容部分２２、収容部分２３の挟み持ち面２６１、挟み持ち面２７１、挟み持ち面２７２、挟み持ち面２２２により押さえられることでしっかりと挟み持つ効果を生み出す。また二つの垂直部５２は収容部分２２、収容部分２３の中の通し孔２４を貫き伸び、お互いに平行にそのベース２０の外に伸び出る。導電プラグ５０の水平部５１は、電線９０外端に高周波加熱方式により溶かして接続されている。
【００１４】
掛けフック６０両端はそれぞれ一つのかぎ部６１を有し、かぎ部６１は蓋ボディ３０周縁に於いて回転可能なかぎとして設けられている。また蓋ボディ３０の収容部３５内に回転して収容可能である。
【００１５】
上述の構造により、本実施例による扁平なプラグ１０では、二つの導電プラグ５０の水平部５１はベース２０の相対する二つの挟み持ち面２６１、挟み持ち面２７１、挟み持ち面２７２、挟み持ち面２２２の間に押し込まれることにより、ベース２０の中で安定して固定され、導電プラグ５０は即ちしっかりとはさまれることで揺らぐことが無い。続いて、蓋ボディ３０はベース２０上に合わせて蓋されることで、位置決め柱２９はそれぞれ蓋ボディ３０の二つの位置決め孔３４の中に入り、また押さえブロック３２はそれぞれ収容部分２２、収容部分２３内に伸びて入り、以って押さえブロック３２が導電プラグ５０の水平部５１を押さえることを利用している。故に、導電プラグ５０の安定性が更に増加する。位置決めブロック４０の接合部４１がベース２０の第一の凹凸部分２５及び蓋ボディ３０の第二の凹凸部分３３を接合し、これにより、蓋ボディ３０及びベース２０は容易に緩み外れることがないのである。
【００１６】
まとめると、本考案の実施による扁平なプラグの長所は以下のようである。押さえ込む方式を利用し導電プラグの水平部はベースの収容部の中に於いて固く締められるため、簡単便利で且つ安定性も高く、また確実に導電プラグを位置決めすることが可能で、導電プラグが完全に装着されないことの発生を防ぎ、従って、蓋ボディは確実にそのベースと組み合わされることが可能となり、扁平なプラグの組み立て進行を更に速いものにしてくれる。
【００１７】
勿論、本実施例は押さえ込む方式により二つの導電プラグを確実に位置決めする構造であり、またそのあぜ壁の位置及びその数量に限定はなく、ただ最後に組み立てる際、素早く、確実に二つの導電プラグをその二つの収容部の中に押さえ入れることが可能であれば、本考案の合理的実施範囲だとみなすべきなのである。
【００１８】
例えば、図６に示すように、本考案の第二実施例では、その構造は上掲の実施例とおおよそ同じであり、ただ僅かに異なるベースが二つの導電プラグを押さえ込む構造を詳細に説明している。部品で同じものは、同じ符号表示をそのまま用いる。ベース２０’は第一の収容槽２１’の中に於いて一つのあぜ壁２７’を有し、あぜ壁２７’とその第一の収容槽２１’の内壁面は相対する側の間に於いて二つの収容部分２２’、収容部分２３’を形成する。あぜ壁２７’の二つの側面及びその第一の収容槽２１’の内壁面は、それぞれその二つの収容部分２２’、収容部分２３’の相対する側部に於いて二つの挟み持ち面２７１’、挟み持ち面２７２’、挟み持ち面２２２’を形成していて、その作用は上掲の実施例と同様である。
【００１９】
図７に示すように、本考案の第三実施例による扁平なプラグ７０は、ベース７１で以って導電プラグ図中未表示の挟み持つ構造が詳しく述べられている。ベース７１は第一の収容槽７２の中に一つの第一のあぜ壁７３、及び二つのその第一のあぜ壁７３と平行に相対する第二のあぜ壁７４を有し、且つその第一のあぜ壁７３とその二つの第二のあぜ壁７４によって囲まれる区間はそれぞれ一つの収容部分７５、収容部分７６を形成する。あぜ壁７３、あぜ壁７４はそれぞれその二つの収容部分７５、収容部分７６の相対する側部に於いて二つの挟み持ち面７３１、挟み持ち面７４１を形成している。
【００２０】
図８は本考案のもう一つの実施形態の様子を示す。上述の実施例の二つの第二のあぜ壁７４’は、更に直接その第一の収容槽７２’の内壁面に面し、従ってその二つの収容部分７５’、収容部分７６’を形成することが可能である。
【図面の簡単な説明】
【００２１】
【図１】本考案の第一実施例による扁平なプラグを示す分解立体図である。
【図２】本考案の第一実施例による扁平なプラグのベースの底を見た図である。
【図３】本考案の第一実施例による扁平なプラグの蓋ボディの上から見た図である。
【図４】本考案の第一実施例による扁平なプラグを示す組み合せ剖視図である。
【図５】本考案の第一実施例による扁平なプラグのベース及び導電プラグの結合示意図である。
【図６】本考案の第二実施例による扁平なプラグのベースの底を見た図である。
【図７】本考案の第三実施例による扁平なプラグのベースの底を見た図である。
【図８】本考案のもう一つの実施形態の様子である。
【図９】従来のプラグを示す図である。
【符号の説明】
【００２２】
１０  扁平なプラグ、２０  ベース、２１  第一の収容槽、２２  収容部分、２３  収容部分、２４  通し孔、２５  第一の凹凸部分、２６  あぜ壁、２７  あぜ壁、２８  凸柱、３０  蓋ボディ、３１  第二の収容槽、３２  押さえブロック、３３  第二の凹凸部分、３４  位置決め孔、３５  収容部、４０  位置決めブロック、４１  接合部、５０  導電プラグ、５１  水平部、５２  垂直部、６０  掛けフック、６１  かぎ部、７０  扁平なプラグ、７１  ベース、７２  第一の収容槽、７３  第一のあぜ壁、７４  第二のあぜ壁、７５  収容部分、７６  収容部分、９０  電線、２２１  第一の開き口、２２２  挟み持ち面、２６１  挟み持ち面、２７１  挟み持ち面、２７２  挟み持ち面、３３１  第二の開き口、７３１  挟み持ち面、７４１  挟み持ち面
【図１】
0003109272.tif 000003
【図２】
0003109272.tif 000004
【図３】
0003109272.tif 000005
【図４】
0003109272.tif 000006
【図５】
0003109272.tif 000007
【図６】
0003109272.tif 000008
【図７】
0003109272.tif 000009
【図８】
0003109272.tif 000010
【図９】
0003109272.tif 000011